(57)【要約】      （修正有）【課題】折り曲げたときの罫線部の手ざわりを良くすることが可能な、折り曲げ罫線入りプラスチックシートの提供。【解決手段】折り曲げ罫線２となる凹溝がその長さ方向に沿って深い凹溝部３と浅い凹溝部４を交互に設けて形成された折り曲げ罫線入りプラスチックシート１において、前記浅い凹溝部４を、長さ方向の断面に現れる形状が山形となるように設け、前記深い凹溝部３を、罫線方向に沿って漸次厚みが異なるように設けるようにした。深い凹溝部の最も厚みが小さい部分と、最も厚みが大きくなる頂部とが直線で結ばれるように設ける。及び当該シートから組み立てられる包装ケース。【選択図】図５
2006248233.tif 000002
【特許請求の範囲】
【請求項１】
折り曲げ罫線となる凹溝がその長さ方向に沿って深い凹溝部と浅い凹溝部を交互に設けて形成された折り曲げ罫線入りプラスチックシートであって、
前記浅い凹溝部は、長さ方向の断面に現れる形状が山形となるように設けられ、
前記深い凹溝部は、罫線方向に沿って漸次厚みが異なるように設けられたことを特徴とする折り曲げ罫線入りプラスチックシート。
【請求項２】
深い凹溝部の最も厚みが小さい部分と、浅い凹溝部の最も厚みが大きくなる頂部とが直線で結ばれるように設けられたことを特徴とする請求項１に記載の折り曲げ罫線入りプラスチックシート。
【請求項３】
浅い凹溝部の頂部を平坦状としてなる請求項２に記載の折り曲げ罫線入りプラスチックシート。
【請求項４】
深い凹溝部の最も厚みが小さい部分と、浅い凹溝部の最も厚みが大きくなる頂部とが、湾曲した曲線で結ばれ、湾曲波形の断面となるように設けられたことを特徴とする請求項１に記載の折り曲げ罫線入りプラスチックシート。
【請求項５】
請求項１〜４の何れかに記載のプラスチックシートを所定の輪郭に打ち抜き、これを罫線に沿って折り曲げて組み立てた包装ケース
【発明の詳細な説明】
【技術分野】
【０００１】
本発明は、自動製函機での組み立てに対応した構造のプラスチックシートに関する。
【背景技術】
【０００２】
包装ケースに折り曲げ加工されるプラスチックシートとして、図８に断面図で示されているように、シート１１の表面に設けられた罫線を形成する凹溝１２の底部に、その長さ方向に沿って凹凸を形成し（同図（Ａ））、或いは断続孔を形成し（同図（Ｂ））、深さの深い凹溝部１３と浅い凹溝部１４を交互に設けた構造のものが知られている。
【発明の開示】
【発明が解決しようとする課題】
【０００３】
従来構造のものは、罫線の底部に凹凸がない構造のものと比較して折り曲げ性が良好であるものの、製函機を用いてシートを組み立てる場合に、シートの材質や厚みなどの条件によっては、曲がり方が不十分でケースを組み立てることができず、例え組み立てることができてもケースが変形することがあった。これと反対に必要以上に曲がると、やはりケースが変形してしまうことがあった。また、シートの折り曲げに伴って凹溝から露出した凹凸部分がささくれ立って、手触りを悪くしたり割れや裂け目ができたりすることがあった。
【０００４】
本発明は従来技術を有するこのような問題点に鑑み、折り曲げ罫線入りのプラスチックシートを自動で組み立てる場合に、不十分な折れ曲がりや曲がり過ぎなどの加工不良を起こすことなく、堅牢且つ綺麗に組み立てることができるようにすることを課題とする。
【課題を解決するための手段】
【０００５】
前記課題を解決するため本発明の折り曲げ罫線入りプラスチックシートは、折り曲げ罫線となる凹溝がその長さ方向に沿って深い凹溝部と浅い凹溝部を交互に設けて形成された折り曲げ罫線入りプラスチックシートであって、前記浅い凹溝部は、長さ方向の断面に現れる形状が山形となるように設けられ、前記深い凹溝部は、罫線方向に沿って漸次厚みが異なるように設けられたことを特徴とするものである。
これによれば、深い凹溝部と浅い凹溝部によって罫線の底部が長さ方向に凹凸しているので、シートの柔軟性と剛性を共に保持して良好な折り曲げ性が得られる。浅い凹溝部は、長さ方向の断面に現れる形状が山形となるように設けられているので、シートを折り曲げたときに罫線内に鋭い凹凸が生じ難くなり、手ざわりが良くなる。
【０００６】
浅い凹溝部の断面に表れる山形の形状には、中央部が高く、その両側部が均等な割合で低くなる形状の他、頂部が一側に偏り、その両側が漸次低くなる非対称な形状が含まれる。また、複数の小さな山形を一体の山形に連ね、頂部が複数あるように設けたり、高さが階段状に異なるように表面を段々に設けたりしてもよい。要は、少なくとも一つの頂部を有し、頂部の両側から深い凹溝部に連なって高さが連続的に異なるように設けてあればよい。
【０００７】
何れの形状でも頂部は湾曲した曲面形状か平坦な形状とすることが好ましい。頂部を湾曲形状や平坦形状に設ければ、この部分の樹脂が圧縮されて強度が高くなるため、シートを折り曲げたときにささくれ立たず、割れや裂け目も生じない。
【０００８】
山形の形状は、罫線に沿ってシートを折り曲げた際に加工不良を生じないよう、シートの材質や厚み、凹溝の幅や長さ、深い凹溝部と浅い凹溝部の寸法比などに応じて適宜に選定することができる。例えば山形が楕円形状の一部や、放物点を含む放物線形状の一部であるような形状、半円形状、長円形状などとすることができる。シートの折り曲げ性を良好にするため、山形を半円形状、或いは長円形状に設ける場合は、その表面円弧の中心がシート内部に位置するように設定することが好ましい。
【０００９】
なお、浅い凹溝部と交互に配置される深い凹溝部は、シート裏面から適宜な厚みを有する場合と、裏面側に貫通させて開孔とする場合がある。深い凹溝部を開孔とした場合、折り曲げたときに生ずる歪みや弾性力が凹溝の長さ方向に分散し、深い凹溝部に厚みの有る場合よりも折れ曲がり易くなるが、深い凹溝部を開孔とするか厚みが有るようにするかは、前述した如く、加工不良を生じないよう、シートの材質や厚み、凹溝の成形条件などに応じて選定され得る。
【００１０】
また、罫線となる凹溝は、シートの片面に設ける他、シートの両面に設けることができる。シートの両面に設ける場合、一側の面の凹溝が前記の如く構成されていればよい。
【００１１】
また、本発明の包装ケースは、前記各構成のシートを所定の輪郭に打ち抜き、これを罫線に沿って折り曲げ、組み立てることにより得ることができる。
【００１２】
なお、本発明が適用されるプラスチックシートとしては、ポリ塩化ビニル、ポリエチレン、ポリプロピレン、ポリエステル、ポリカーボネートなどの単体又は複合シートを用いることができる。シートの厚みは、通常、０．１〜１．０ｍｍ程度のものが用いられるが、これに限定されない。
【発明の実施の形態】
【００１３】
プラスチックシート１は、折り曲げ罫線２となる凹溝がその長さ方向に沿って深い凹溝部（以下、深溝部という）３と浅い凹溝部（以下、浅溝部という）４を交互に設け、浅溝部４の長さ方向の断面が山形となるようにして形成された構造のものである。以下、シートに形成する罫線の実施形態の一例を罫線部分の断面を示した図面を参照して説明する。
【００１４】
図１は、深溝部３に厚みを設けて罫線２を形成した形態を示している。同図（Ａ）は、浅溝部４を、その罫線方向の断面が楕円形状（ＣD ）の一部をなすような曲面形状に設けたものである。同図（Ｂ）は、浅溝部４を、その罫線方向の断面が放物点（ＯH ）を含む放物線形状（Ｈ）の一部をなすような曲面形状に設けたものである。
【００１５】
なお、図では、深溝部３と浅溝部４の罫線方向の長さ（Ｌ３、Ｌ４）をほぼ同じ長さとし、また、深溝部３の厚み（Ｄ３）をシートの厚み（Ｄ１）のほぼ１／４としてあるが、これに限定されず、シートの材質や厚みなどに応じて適宜に設定することができる。浅溝部４の厚み（Ｄ４）も同様である。
【００１６】
図２は、深溝部３をシート１の裏面側に裏面側に貫通した開孔に設けて罫線２を形成した形態を示している。この形態では、深溝部３の厚み（Ｄ３）は０ｍｍとなる。同図（Ａ）は、浅溝部４を、その罫線方向の断面が楕円形状の一部をなすような曲面形状に設けたものである。同図（Ｂ）は、浅溝部４を、その罫線方向の断面が放物点を含む放物線形状の一部をなすような曲面形状に設けたものである。同図（Ｃ）は、浅溝部４を、その罫線方向の断面が半円形状をなすような曲面形状に設けたものである。この形態では、浅溝部４の表面円弧の中心（Ｏ）が、シート１の裏面側縁部に位置するように設定してある。同図（Ｄ）は、浅溝部４を、その罫線方向の断面が長円形状をなすような曲面形状に設けたものである。この形態では、浅溝部４の表面円弧の中心（Ｏ）が、シート１の裏面側縁部よりもシート内方寄りに位置するように設定してある。
【００１７】
図３は、浅溝部４を、その罫線方向の断面に表れる山形が、シート内部に中心点を有する二つの円弧を組み合わせた曲面形状に形成された形態を示している。同図（Ａ）は罫線２を深溝部３に厚みを設けて形成したもの、同図（Ｂ）は深溝部３を開孔に設けて形成したものであり、共に浅溝部４は、その両側が深溝部３から一定の曲率半径でシート表面側に厚みを増し、その中央部で表面の円弧が頂点よりも若干低くなって交わるように設けてある。
【００１８】
浅溝部４の山形断面は、前記楕円形状や放物線形状、半円形状、長円形状、その他の曲面形状や平面形状を適宜組み合わせた形状に設けることができ、図４R>４はその組み合わせの一例を示している。同図（Ａ）は、図３と同様、浅溝部４の断面をシート内部に中心点を有する二つの円弧を組み合わせた曲面形状に設けたものであり、浅溝部４の中央部で、その高さが両側の高さとほぼ同じとなるようにしたものである。同図（Ｂ）は、浅溝部４の断面を、二つの台形状を並べた形状に設けたものである。同図（Ｃ）は、浅溝部４の断面を、二つの台形状を並べるともに、側面を湾曲させ、上面をほぼ平坦状とした形状に設けたものである。同図（Ｄ）は、浅溝部４の断面を、三つの湾曲面をほぼ同じ高さに並べた曲面形状に設けたものである。同図（Ｅ）は、浅溝部４の断面を、三つの湾曲面からなる曲面形状であって、両側の湾曲面を同じ高さに、中央部の湾曲面をそれよりも高くして、お供え餅のような形に設けたものである。同図（Ｆ）は、（Ｅ）に示された中央部の湾曲面をさらに小さな円弧の曲面で分割し、全体で四つの円弧を組み合わせた曲面形状に設けたものである。
【００１９】
図５は、前記各図の深溝部３がその罫線方向の厚みを一定にして設けてあるのに対し、罫線方向に沿って漸次厚みが異なるようにして設けたものである。同図（Ａ）は、罫線２の断面を見たときに、深溝部３の最も厚みが小さい部分と、浅溝部４の最も厚みが大きくなる頂部とが直線で結ばれ、罫線全体として三角波形の断面となるように設けたものである。同図（Ｂ）は、（Ａ）に示された浅溝部４の頂部を平坦状としてものである。同図（Ｃ）は、（Ａ）に示された深溝部３の最も厚みが小さい部分と浅溝部４の頂部とを湾曲させ、罫線全体として湾曲波形の断面となるように設けたものである。
【００２０】
図６は、罫線となる凹溝をシート１の両面に設けた形態を示している。同図（Ａ）は、シート１の表面側から深溝部３と断面楕円形状の浅溝部４からなる罫線２を形成するとともに、シート１の裏面側に、罫線２に沿った一定の深さの凹溝５を設けたものである。この凹溝５は、シート１を折り曲げた際の破損防止のため、深溝部３の厚みよりも小さい深さに設けてある。同図（Ｂ）は、シート１の表面側から深溝部３と断面楕円形状の浅溝部４からなる罫線２を形成するとともに、シート１の裏面側の前記浅溝部４の形成位置に断面楕円形状の凹溝５を設けたものである。この場合、凹溝５は、浅溝部４と同様な断面形状に設ける他、異なる断面形状のものを設けてもよい。
【００２１】
なお、前記各図において、交互に設けられる深溝部３と浅溝部４の罫線内部における向きは、両部の境界線が罫線方向に対して直交していても、傾斜していても何れでもよい。例えば、図７（Ａ）は罫線２を含むシート１の平面図、（Ｂ）はその罫線２に沿った断面を示してるが、同図の如く、罫線２の深溝部３と浅溝部４の境界線が、罫線方向に対して傾斜して設けることもできる。
【００２２】
各図に示された罫線２の構成は一例であって本発明のプラスチックシートは図示された形態に限定されない。各図の深溝部３と浅溝部４を組み合わせ、又はこれらと公知の罫線構造を組み合わせて罫線２を構成することは適宜行われる。
【図面の簡単な説明】
【００２３】
【図１】（Ａ）、（Ｂ）は深溝部に厚みを設けた本発明の実施形態を示す罫線部分の断面図である。
【図２】（Ａ）〜（Ｄ）は深溝部に開孔を設けて罫線を形成した本発明の実施形態を示す罫線部分の断面図である。
【図３】（Ａ）、（Ｂ）は浅溝部の断面を二つの曲面を組み合わせて形成した本発明の実施形態を示す罫線部分の断面図である。
【図４】（Ａ）〜（Ｆ）は複数の面を組み合わせて形成した浅溝部の断面を示す図である。
【図５】（Ａ）〜（Ｃ）は深溝部の厚みを連続的に異ならせた本発明の実施形態を示す罫線部分の断面図である。
【図６】（Ａ）、（Ｂ）はシートの表裏両面に凹溝を設けた本発明の実施形態を示す罫線部分の断面図である。
【図７】深溝部と浅溝部の境界線を罫線方向に対して傾斜させた本発明の実施形態を示しており、（Ａ）はシートの要部平面図、（Ｂ）は（Ａ）のＢ−Ｂ線に沿った断面図である。
【図８】（Ａ）、（Ｂ）は従来構造のプラスチックシートの罫線部分の断面図である。
【符号の説明】
【００２４】
１ プラスチックシート
２ 罫線
３ 深溝部
４ 浅溝部
５ 凹溝
【図１】
2006248233.tif 000003
【図２】
2006248233.tif 000004
【図３】
2006248233.tif 000005
【図４】
2006248233.tif 000006
【図５】
2006248233.tif 000007
【図６】
2006248233.tif 000008
【図７】
2006248233.tif 000009
【図８】
2006248233.tif 000010